(57)【要約】      （修正有）【課題】ドラム缶を切断するもので、特に産業廃棄物が詰められた中実なドラム缶用切断装置を提供する。【解決手段】作業機のアーム７に取り付けられる切断装置であって、アーム先端部に着脱自在に固着される直線状部材で伸縮自在な支持基台２と、該支持基台の一端部に固定された固定刃４と、前記支持基台における伸縮部材の一端部に取り付けら且つ前記伸縮部材の伸縮方向に沿って前記固定刃に背向して配設される可動刃５とからなる。【選択図】図１
0003159460.tif 000002
【実用新案登録請求の範囲】
【請求項１】
作業機のアームに取り付けられる切断装置であって、
前記アーム先端部に着脱自在に固着される直線状部材で伸縮自在な支持基台と、    
前記支持基台の一端部に固定された固定刃と、
前記支持基台における伸縮部材の一端部に取り付けられ且つ前記伸縮部材の伸縮方向に沿って前記固定刃に背向して配設される可動刃とからなること、
を特徴とするドラム缶用切断装置。
【請求項２】
固定刃と可動刃とは、支持基台の一端部で刃の背部が合わされ一体化されたときに、伸縮方向を水平方向とした場合にこれ直交する下方向に向けて一つの刃先が形成されるようになっていること、
を特徴とする請求項１に記載のドラム缶用切断装置。
【請求項３】
支持基台の伸縮部材は、油圧装置を駆動装置としていること、
を特徴とする請求項１乃至２のいずれかに記載のドラム缶用切断装置。
【考案の詳細な説明】
【技術分野】
【０００１】
本考案は、ドラム缶を切断するもので、特に産業廃棄物が詰められた中実なドラム缶用の切断装置に関するものである。
【背景技術】
【０００２】
従来、ドラム缶用切断装置としては、特許文献１に記載されているように、ドラム缶の天蓋を切断する装置が知られている。これは、フォークリフト等の荷役車両に適用されるもので、支持体に筒状刃体を取付け、ドラム缶の天蓋と筒状刃体とを対峙させる案内体を設け、切断後の天蓋を外部に排出する天蓋用弾性体が設けられたドラム缶切り装置である。これによれば、天蓋の切断開口が目的であり、例えば、廃液などが固く詰まったドラム缶を縦横に切断して中身を取り出すの事に関しては、アーム部が自由に回転しないので不便である。そこで、アーム等を使用した切断装置としたものでは、特許文献２に記載されているように、ドラム缶の胴部を効率的に切断する把持装置をアームの先端に取り付けたものが知られている。
【先行技術文献】
【特許文献】
【０００３】
【特許文献１】特開平１０−２４９９２号公報
【特許文献２】特開平１０−３４４２９号公報
【考案の概要】
【考案が解決しようとする課題】
【０００４】
しかし、上記特許文献２に記載のドラム缶用切断装置は、ドラム缶を把持装置で掴んで、地上に設置した刃体やストッパなどとの協働によって、産業廃棄物等の詰まった中実なドラム缶を解体するものであり、切断装置そのものだけで前記中実なドラム缶を切断するものではない。よって、単独且つ自在に中実なドラム缶を切断処理できる切断装置が無く、切断作業効率を向上させること並びに産業廃棄物処理のコストを低減させることが課題であり、そのようなドラム缶用切断装置が求められている。本考案に係るドラム缶用切断装置は、このような課題を解決するために提案されたものである。
【課題を解決するための手段】
【０００５】
本考案に係るドラム缶用切断装置の上記課題を解決して目的を達成するための要旨は、
作業機のアームに取り付けられる切断装置であって、前記アーム先端部に着脱自在に固着される直線状部材で伸縮自在な支持基台と、前記支持基台の一端部に固定された固定刃と、前記支持基台における伸縮部材の一端部に取り付けられ且つ前記伸縮部材の伸縮方向に沿って前記固定刃に背向して配設される可動刃とからなることである。
【０００６】
前記固定刃と可動刃とは、支持基台の一端部で刃の背部が合わされ一体化されたときに、伸縮方向を水平方向とした場合にこれ直交する下方向に向けて一つの刃先が形成されるようになっていることであり、更に、前記支持基台の伸縮部材は、油圧装置を駆動装置としていることを含むものである。
【考案の効果】
【０００７】
本考案のドラム缶用切断装置によれば、廃液などが詰まった中実なドラム缶を押さえつけてドラム缶の側面と天蓋等の端面とを切断することで、そのドラム缶を固定刃と可動刃とで挟んで摘み上げて振ってドラム缶の中身を外に出すことができる。本考案のドラム缶用切断装置だけで、ドラム缶内で固まった産業廃棄物等を取り出す作業が容易になる。
これにより、ドラム缶の切断作業が効率的になり、廃棄作業コストも低減される。
また、前記固定刃と可動刃とは、支持基台の一端部で刃の背部が合わされ一体化されたときに、支持基台の伸縮方向を水平方向とした場合にこれ直交する下方向に向けて一つの刃先が形成されるようになっているので、ドラム缶上端に最初に刃を差し込むときに容易に刃が刺さるようになる。更に、前記支持基台の伸縮部材は、油圧装置を駆動装置とすることで、油圧装置を備えた作業機械にドラム缶用切断装置を容易に取り付けて駆動させることができる。
【図面の簡単な説明】
【０００８】
【図１】本考案に係るドラム缶用切断装置１の取付け状態の正面図（Ａ）と、底面図（Ｂ）とである。
【図２】同本考案のドラム缶用切断装置１における、図１のＡ−Ａ線断面図（Ａ）と、Ｂ−Ｂ線断面図（Ｂ）とである。
【図３】同本考案に係るドラム缶用切断装置１による使用状態を説明する説明図である。
【図４】同本考案に係るドラム缶用切断装置１による使用状態を説明する説明図である。
【図５】同本考案に係るドラム缶用切断装置１による使用状態を説明する説明図である。
【図６】同本考案に係るドラム缶用切断装置１による使用状態を説明する説明図である。
【図７】同本考案に係るドラム缶用切断装置１による使用状態で、切断したドラム缶を摘んで振ることで、ドラム缶を半割りにしてその産業廃棄物等の中身を出す様子示す説明図である。
【考案を実施するための形態】
【０００９】
本考案のドラム缶用切断装置は、ドラム缶の壁面を切断できると共に、ドラム缶を掴み上げることもできるようにして、このドラム缶用切断装置をアーム端部に取り付けた作業機によって単独で、ドラム缶内部に詰めた廃液などの半固形物を取り出すことのできる装置である。
【実施例】
【００１０】
本考案に係るドラム缶用切断装置１は、図１に示すように、作業機のアーム７のアタッチメント６に取り付けられる切断装置であって、前記アーム７の先端部に着脱自在に固着される直線状部材で伸縮自在な支持基台２と、前記支持基台２の一端部に固定された固定刃４と、前記支持基台２における伸縮部材３の一端部に取り付けられ、且つ、前記伸縮部材３の伸縮方向に沿って前記固定刃４に背向して配設される可動刃５とからなる。
【００１１】
前記固定刃４と可動刃５とは、支持基台２の一端部で、前記固定刃４と可動刃５との刃の背部同士が合わされ一体化されたときに、図２（Ａ）に示すように、伸縮方向を水平方向とした場合にこれと直交する下方向に向けて一つの刃先４ａが形成されるようになっている。これにより、ドラム缶８に刃先を容易に突き刺すことができるものである。
【００１２】
前記固定刃４と、可動刃５との刃４ｂ，５ａは、図１（Ａ）に示すように、支持基台２を水平にしたとき、左右に向けて背向している。また、支持基台２の伸縮部材３は、油圧装置９を駆動装置としている。
【００１３】
前記ドラム缶用切断装置１の使用方法を図を参照して説明する。このドラム缶８には、例えば、産業廃棄物処理場での廃酸，廃アルカリ，汚泥，廃油系などが詰め込まれている。そこで、図３（Ａ），（Ｂ）に示すように、このドラム缶８を横倒しにする。移動式作業機（図示せず）のアーム７を操作して、ドラム缶用切断装置１の支持基台２を水平にする。
【００１４】
そして、ドラム缶８の一端側に、可動刃５を固定刃４に当接させた状態でこれらを降下させて、刃先を差し込む。次に、図４に示すように、油圧装置９を運転室から駆動指示して、ロッド９ａを前方に伸ばし、伸縮部材３および可動刃５を前方に移動させる。これにより、前記可動刃５の刃５ａによって前記ドラム缶８の壁面が一端側から他端側へと切断される。
【００１５】
図５に示すように、同じように、ドラム缶８の側壁を、前記側壁切断部Ａと対称の位置に、切断部Ｂを形成する。これで、ドラム缶８の側壁には切断部Ａ，Ｂが形成される。
【００１６】
図６に示すように、前記ドラム缶８の端をドラム缶用切断装置１の固定刃４と可動刃５とで掴んで、縦に置く。そして、前記固定刃４と可動刃５とを一体にして、例えば、ドラム缶８の切断部Ａに近い天蓋周縁部に突き刺す。
【００１７】
同図６に示すように、油圧装置９を駆動させてロッド９ａを伸長させて、伸縮部材３および可動刃５を前方に移動させ、天蓋を前記可動刃５で切断する。これにより切断部Ｃが形成される。
【００１８】
図７に示すように、前記ドラム缶８の上端部を、ドラム缶用切断装置１の固定刃４と可動刃５とで、前記油圧装置９を駆動させて伸縮部材３を伸縮させることで、挟むようにする。そして、ドラム缶８を持ち上げ、アーム７を適宜に動かしてドラム缶８を左右に振る。すると、ドラム缶８の中から、産業廃棄物の半固形の塊１０ａ，１０が自然に取り出せる。また、半割りにされたドラム缶８も振り回すことで分割体８ａ，８ｂに分離される。なお、産業廃棄物の塊具合によっては、ドラム缶８の天蓋および底蓋の両方を切断するようにしても良い。
【産業上の利用可能性】
【００１９】
本考案のドラム缶用切断装置は、ドラム缶に限らずその他の金属製缶などの切断装置として広く適用できるものである。
【符号の説明】
【００２０】
１          ドラム缶用切断装置、
２          支持基台、
３          伸縮部材、
４          固定刃、                    ４ａ，４ｂ      刃、
５          可動刃、                    ５ａ            刃
６          アタッチメント、
７          アーム、
８          ドラム缶、                  ８ａ，８ｂ      切断された半ドラム缶、
９          油圧装置、                  ９ａ            ロッド、
１０ａ，１０ｂ        産業廃棄物の塊。
【図１】
0003159460.tif 000003
【図２】
0003159460.tif 000004
【図３】
0003159460.tif 000005
【図４】
0003159460.tif 000006
【図５】
0003159460.tif 000007
【図６】
0003159460.tif 000008
【図７】
0003159460.tif 000009